(57)【要約】【課題】浴槽と貯湯タンクが分離独立した入浴装置において、浴槽と貯湯タンク間とを接続する配管系統内に湯が残留しないよう制御した入浴装置の排水方式を提供する。【解決手段】浴槽１に付設される排水完了検知センサ４と貯湯タンク２に付設される下限レベル検知センサ５の両センサが作動した時にのみ、浴槽と貯湯タンクを接続する配管系統内に設けた単一又は複数のモータバルブを起動して、上記浴槽１と貯湯タンク２との間を接続する接続配管路を所定時間開放し、接続管路内に残留する残湯を外部に排出するようにした。【選択図】      図１
2004267587.tif 000002
【特許請求の範囲】
【請求項１】
浴槽と貯湯タンクが分離独立した入浴装置において、浴槽に付設される排水完了検知センサ及び貯湯タンクに付設される下限レベル検知センサの両センサが作動した時にのみ、浴槽と貯湯タンク間を接続する配管系統内に設けた単一又は複数のモータバルブを起動して、上記接続配管路を所定時間開放し、管路内の残湯を外部に排出するよう、制御したことを特徴とする入浴装置の排水方式。
【発明の詳細な説明】
【０００１】
【発明の属する技術分野】
この発明は、浴槽本体と貯湯タンクとの間を接続する配管系統内に残留する残留水の排水方式に関する。
【０００２】
【従来の技術】
不特定或は特定多数の自力では入浴出来ない入浴者を対象とした各種福祉施設及び病院用等の特殊入浴装置においては、清潔入浴ならびに感染対策を計らんとするため、浴槽本体と貯湯タンクを各々独立して配備し、１回の入浴ごとに湯を入れ替えする方式、即ち入浴後の湯を捨て、次の入浴者には貯湯タンクから新しい湯を浴槽へ送湯する方式や、浴槽本体と貯湯タンク間を接続する配管路に濾過・殺菌装置を設置して、浴湯を浴槽とタンク間を循環させて繰り返し使用するタイプものが多々採用されている。
【０００３】
こうした入浴装置にあっては、１日の入浴者が終了すると浴槽内と貯湯タンク内の湯を排水した上、適宜洗剤等を用いて槽内やタンク内の清掃を実行して、次回の入浴日まで待機しているのが普通であるが、両タイプ共、浴槽本体と貯湯タンクとを接続する配管系路内に残ってしまう残留水は、次回の入浴日まで放置されたままである。
【０００４】
この結果、接続管路内の残留水中に細菌類が繁殖し、次回の入浴に供する湯を汚染してしまう恐れがある。
【０００５】
【発明が解決しようとする課題】
本発明は、上述した点に鑑み、浴槽本体と貯湯タンクを接続する配管系統内に残留する湯を、既設の制御機器を巧みに利用して外部へ排出させることにより従来の不具合を解消せんとしたものである。
【０００６】
【発明が解決しようとするための手段】
本発明の請求項１記載に係る入浴装置の排水方式は、浴槽と貯湯タンクが分離独立した入浴装置であって、浴槽に付設される排水完了検知センサ及び貯湯タンクに付設される下限レベル検知センサの両センサが作動した時にのみ、浴槽と貯湯タンク間を接続する配管系統内に設けた単一又は複数のモータバルブを起動して上記接続管路を所定時間開放し、管路内の残湯を外部に排出するよう制御したことを特徴とする。
【０００７】
【作用】
上記請求項１によると、浴槽と貯湯タンクとの間を接続する配管系に残留水が残らないため、細菌類の発生が防止され、次回の入浴に供する湯を汚染する恐れがない。
【０００８】
【発明の実施の形態】
以下、本発明を付図実施例に基づいて説明する。図１は１回ごとに湯を入れ替えするタイプの入浴装置、図２は循環式の入浴装置を夫々示し、図中１は浴槽、２は貯湯タンクである。
図１の実施例において、太実線示は浴槽１と貯湯タンク２との間を接続する管路３を示し、該管路にはポンプＰ１及びモータバルブＭ１が配設されている。上記モータバルブＭ１はポンプＰ１と連動して動作し、後述する場合を除き、貯湯タンク２に貯えられた湯をポンプＰ１を介して浴槽１へ送湯する時にのみ管路３を開放し、それ以外は遮断している。その理由は浴槽１と貯湯タンク２との間の水位レベルの差異によって生じる逆流現象を防止するためである。又、上記浴槽１の底面付近には、排水完了検知センサ４が付設され、貯湯タンク２の下方部には、少なくともポンプＰ１がエアを吸込まない程度まで貯湯量が減少した際に作動する下限レベル検知センサ５が付設されている。これらの検知センサはいずれも、従来から使用されている。６、７は浴槽及び貯湯タンクの排水路で、各排水路には電動又は手動の開閉弁Ｍ２、Ｍ３が設けられている。尚、貯湯タンク側排水路７は、上記接続管路３の一部を共用している。
そして、この実施例における入浴装置では、入浴者が変わるごとに開閉弁Ｍ２を開放して、浴槽１内の使用湯を外部に排出した後、ポンプＰ１とモータバルブＭ１を作動して、貯湯タンク２に貯えられた新湯を浴槽１へ供給するように設定されているものである。
【０００９】
而して、今、浴槽側排水路６の開閉弁Ｍ２を開放して、一日の最終入浴者の入浴を済ませると、開閉弁Ｍ３も「開」にして貯湯タンク２内の残湯も外部に排出させた後、浴槽内及びタンク内の清掃作業を行って１日の全ての入浴作業が従来では完了する訳であるが、管路３内には湯が残ってしまう。
一方、本発明は、浴槽側排水路６の開閉弁Ｍ２を「開」にして、最終入浴者の入浴が終わり次第、貯湯タンク側排水路７の開閉弁Ｍ３も「開」にするところまでは、従来と変わらないが、浴槽１内の排水が完了してセンサ４が作動し、次いで貯湯タンク２内の下限レベル検知センサ５が作動した場合にのみ、モータバルブＭ１を起動し、管路３を所定時間開放するように制御して、管路３内の残水を排水路７を通して外部へ排出するようにしたものである。
【００１０】
図２は循環式タイプを示す実施例で、図１の実施例と同じ部品には同一符号を付して説明する。図中、太実線示は浴槽１と貯湯タンク２の接続管路８を示し、貯湯タンク２から浴槽１への往き路８Ａは実線矢印で、又、浴槽１から貯湯タンク２への戻し路８Ｂは、点線矢印で示す。上記管路８には、ポンプＰ１、三方切換用モータバルブＭ４、Ｍ５を設けると共に、上記戻し路８Ｂのうち貯湯タンク２の近傍に濾過フィルター９及び殺菌・消毒装置１０が設置されている。
尚、浴槽１及び貯湯タンク２内に排水完了検知センサ４及び下限レベルセンサ５が設置されると共に排水路６、７に電動又は手動の開閉弁Ｍ２、Ｍ３が図１の実施例と同様に付設されている。
そして、通常の入・出浴に当たっては、ポンプＰ１及び三方切換用モータバルブＭ４、Ｍ５を適宜起動して、貯湯タンク２内の湯を往き路８Ａを介して浴槽１へ供給したり、浴槽１内の湯を戻し路８Ｂを通して殺菌及び濾過した状態で貯湯タンク２へ還流させるように設定されている。
こうして、１日の最終入浴者の入浴が済んだ時点で開閉弁Ｍ２を開放し、浴槽１内の湯を外部に排水させると共に開閉弁Ｍ３も開いて貯湯タンク２内の残湯も外部へ排出する。
【００１１】
而して、排水完了検知センサ４と下限レベル検知センサ５の両センサが作動した際にのみ、モータバルブＭ４、Ｍ５を所定時間起動させて往き路８Ａ（又は戻し路８Ｂ）内の残水を排水路７を通して外部へ排出させる。次いで所定時間経過後、モータバルブＭ４、Ｍ５を切換作動し、戻し路８Ｂ（又は往き路８Ａ）内の残湯も全て外部へ排出するよう制御するものである。
【００１２】
【発明の効果】
以上、説明したように本発明は、浴槽と貯湯タンクが分離独立した入浴装置において、浴槽に付設される排水完了検知センサ及び貯湯タンクに付設される下限レベル検知センサの両センサが、作動した時にのみ浴槽と貯湯タンク間を接続する配管系統内に設けた単一又は複数のモータバルブを起動して、上記接続配管路を所定時間開放し、管路内の残湯を外部に排出するように制御した結果、次回の入浴に供する湯を汚染する心配がない。
【００１３】
又、本発明によれば、上記構成部品は全て従来の既設部品を巧みに利用している為、何等コストアップにつながらないといった大きなメリットを奏する。
【図面の簡単な説明】
【図１】本発明に係る入浴装置の一実施例を示す配管系統図
【図２】本発明の他の実施例を示す配管系統図
【符号の簡単な説明】
１                    浴槽
２                    貯湯タンク
３、８                  接続管路
４                    排水完了検知センサ
５                    下限レベル検知センサ
６、７                  排水路
Ｍ１、Ｍ４、Ｍ５          モータバルブ
Ｍ２、Ｍ３                開閉弁
Ｐ１                    ポンプ
【図１】
2004267587.tif 000003
【図２】
2004267587.tif 000004